(57)【要約】【課題】  ネジによる取付け結合状態を、取り付ける一方ともう一方とに変形や破損を生じさせることなく、もちろんネジを緩めることなく、解除することができ、しかも、それを簡素な構造で実現できる、取付け構造を提供する。【解決手段】  取り付ける一方２のネジ通し孔６が、ネジ体５のヘッド部５ａを通すことのできるサイズのものからなっていて、ネジ体５はそのヘッド部５ａが座金７を介して取り付ける一方２と係合することでネジ結合状態を維持するようになされている。そして、取り付ける一方２ともう一方４とがネジ体５の軸線方向に相対的に離れようとする一定以上の力が働いたとき、座金７が先行して変形し、ネジ体５のヘッド部５ａが、取り付ける一方２のネジ通し孔６を通過して、結合状態が解除されるようになされている。【選択図】      図１
2005257013.tif 000002
【特許請求の範囲】
【請求項１】
取り付ける一方に備えられたネジ通し孔にネジ体が通されると共に、ネジ体のヘッド部と前記取り付ける一方との間に座金が介設され、前記ネジ体が締め付けられて、取り付ける一方ともう一方とがネジ結合されている取付け構造において、
前記取り付ける一方のネジ通し孔は、ネジ体の前記ヘッド部を通すことのできるサイズのものからなっていて、ネジ体はそのヘッド部が前記座金を介して取り付ける一方と係合することでネジ結合状態を維持するようになされており、
前記取り付ける一方ともう一方とがネジ体の軸線方向に相対的に離れようとする一定以上の力が働いたとき、座金が先行して変形し、ネジ体のヘッド部が、取り付ける一方のネジ通し孔を通過して、結合状態が解除されるようになされていることを特徴とする取付け構造。
【請求項２】
前記座金の先行変形によって、ネジ体のヘッド部が、座金とともに、取り付ける一方のネジ通し孔を通過するようになされている請求項１に記載の取付け構造。
【請求項３】
前記取り付ける一方が土台水切りであり、もう一方が免震建物における上屋及び／又は基礎である請求項１又は２に記載の取付け構造。
【発明の詳細な説明】
【技術分野】
【０００１】
本発明は、例えば、免震建物における土台水切りの取付けなどに用いられる取付け構造に関する。
【背景技術】
【０００２】
例えば、基礎上に上屋が免震支承された免震建物では、建物の基礎と上屋との境界部分に土台水切りをネジで取り付けておくと、免震時の基礎と上屋との水平方向の相対移動によって、土台水切りや、該水切りの取付け側に、変形や破損を生じるおそれがある。土台水切りにスライド機構を持たせることも考えられるが、構造が複雑となり、コストも高くつく。
【発明の開示】
【発明が解決しようとする課題】
【０００３】
本発明は、例えば上記のような問題点に鑑みてなされたものであって、取り付ける一方ともう一方とがネジで結合されて取り付けられている取付け構造において、該取付け結合状態を、取り付ける一方ともう一方とに変形や破損を生じさせることなく、もちろんネジを緩めることなく、解除することができ、しかも、それを簡素な構造で実現することができる、取付け構造を提供することを課題とする。
【課題を解決するための手段】
【０００４】
上記の課題は、取り付ける一方に備えられたネジ通し孔にネジ体が通されると共に、ネジ体のヘッド部と前記取り付ける一方との間に座金が介設され、前記ネジ体が締め付けられて、取り付ける一方ともう一方とがネジ結合されている取付け構造において、
前記取り付ける一方のネジ通し孔は、ネジ体の前記ヘッド部を通すことのできるサイズのものからなっていて、ネジ体はそのヘッド部が前記座金を介して取り付ける一方と係合することでネジ結合状態を維持するようになされており、
前記取り付ける一方ともう一方とがネジ体の軸線方向に相対的に離れようとする一定以上の力が働いたとき、座金が先行して変形し、ネジ体のヘッド部が、取り付ける一方のネジ通し孔を通過して、結合状態が解除されるようになされていることを特徴とする取付け構造によって解決される。
【０００５】
この取付け構造によれば、取り付ける一方のネジ通し孔が、ネジ体のヘッド部を通すことのできるサイズのものからなっており、上記のような力が働くと、座金が先行して変形や破壊を生じ、ネジ体のヘッド部が取り付ける一方のネジ通し孔を通過するようになされているので、取り付ける一方ともう一方とのネジ結合取付け状態をネジを緩めることなく解除することができ、しかも、取付け結合状態の解除によって、取り付ける一方ともう一方とに変形や破壊を生じさせることもない。加えて、取り付ける一方のネジ通し孔のサイズと、座金に対する工夫を行っただけの簡素な構造で、それを実現することができる。
【０００６】
上記の取付け構造において、座金の先行変形によって、ネジ体のヘッド部が、座金とともに、取り付ける一方のネジ通し孔を通過するようになされているとよい。この構造では、取付け結合状態が解除された場合に、座金は、脱落することなくネジ体に保持され、結合状態解除後の座金の回収を容易に行うことができる。
【０００７】
また、前記取り付ける一方が土台水切りであり、もう一方が免震建物における上屋及び／又は基礎である場合は、地震時の免震によって基礎と上屋が水平方向に相対移動しても、土台水切りや、上屋側の取付け部が変形、破損するのを防いで、地震後の補修をコスト的に有利に行うことができ、しかも、簡素な取付け構造でそれを実現することができる。
【発明の効果】
【０００８】
本発明は、以上のとおりのものであるから、取り付ける一方ともう一方とがネジで結合されて取り付けられている取付け構造において、該取付け結合状態を、取り付ける一方ともう一方とに変形や破損を生じさせることなく、もちろんネジを緩めることなく、解除することができ、しかも、それを簡素な構造で実現することができる。
【発明を実施するための最良の形態】
【０００９】
次に、本発明の実施最良形態を図面に基づいて説明する。
【００１０】
図１及び図２に示す取付け構造は、免震建物における土台水切りの取付けに用いた場合のもので、１は基礎、２は取り付ける一方としての土台水切り、３は上屋、４は取り付けるもう一方としての上屋の外壁であり、土台水切り２は、その上縁部が、外壁４の屋外側の面部にネジ体としてのビス５で取り付けられ、下縁側が基礎１の上縁部に屋外側から重なるように垂れ下げられている。
【００１１】
外壁４への土台水切り２の取付け部分は、次のような構造になっている。即ち、土台水切り２には、ビス５の頭部５ａを通すことのできるサイズの貫通のネジ通し孔６が明けられ、ビス５の頭部５ａと土台水切り２との間には座金７が介設されている。
【００１２】
座金７は、円板状をしていて、ビス頭部５ａよりもサイズの小さい中心孔８を備えると共に、外周サイズは土台水切り２のネジ通し孔６のサイズよりも大きく設計されている。そして、中心孔８から半径線方向に離れた領域部分には、同半径線方向に延びると共に座金７の外周部で外方に開かれた切込み９が、周方向に複数個備えられている。
【００１３】
土台水切り２は、屋外側からビス５を座金７の中心孔８と土台水切り２のネジ通し孔６とに通し、外壁４の肉内にねじ込み、ビス頭部５ａを座金７を介して土台水切り２に係合させることで、外壁４と結合状態となって取り付けられている。本実施形態では、この取付け状態において、各切込み９…の半径線方向中心側の端部が土台水切り２のネジ通し孔６に突出するようになされている。
【００１４】
上記の取付け構造では、図４に示すように、地震時の免震によって、基礎１と上屋３とが水平方向に相対移動すると、基礎１が土台水切り２を屋外側に押す力が働くが、そのとき、図３に示すように、座金７の外周側の半部が、その切込み９…の働きによって先行して変形し、ビス頭部５ａが座金７を連れて土台水切り２のネジ通し孔６を通過して、土台水切り２と外壁４との取付け結合状態が、ビス５を緩めることなく解除される。そして、この解除によって、土台水切り２は、変形することも破壊することもなく、すぐ下の地上に受けられ、ビス５は、変形した座金７を連れて、外壁４にねじ込まれたままの状態であり、外壁４の側に変形や損傷を生じさせることもない。地震後の補修は、地面に受けられた土台水切り２を再使用し、外壁４からビス５を外し、新たな座金を用いて、上記の土台水切り２の取付けを行えばよい。
【００１５】
以上に、本発明の実施形態を示したが、本発明はこれに限られるものではなく、発明思想を逸脱しない範囲で各種の変更が可能である。例えば、上記の実施形態では、土台水切り２を上屋３側に取り付けた場合を示しているが、基礎側に取り付けられていてもよいし、上屋３と基礎側の両方に取り付けられていてもよいし、また、上下分割型の土台水切りの基礎側や上屋側への取付けに用いられてもよい。
【００１６】
また、上記の実施形態では、座金７の先行変形が、切込み９…の働きで行われるようにしているが、その場合に、座金７の先行変形を生じさせる力を大小調節する必要がある場合には、図５（イ）（ロ）に示すように、座金７に備えさせる切込み９…の本数を変更したり、図５（ハ）（ニ）に示すように、各切込み９…のサイズを変更することなどで調節することができる。また、座金から上記のような切込みを省略し、座金の周端側を肉薄にするなどの方法で先行変形するようになされていてもよい。また、座金は金属製のものに限られないし、円板状のものにも限られない。
【００１７】
また、上記の実施形態では、座金７の外周側半部が変形し、ビス５が座金７を連れて土台水切り２のネジ通し孔６を通過するようになされた場合を示しているが、座金７の内周側半部を変形させ、ビス５が座金７を連れずに土台水切り２のネジ通し孔６を通過するようになされていてもよい。
【００１８】
更に、上記の実施形態では、免震建物における土台水切り２の取付けに用いた場合を示しているが、免震建物において上屋側から基礎側に延ばされる雨樋の取付けに用いることもできるし、そのほか、消化器等の普段あまり動かさない物の取付け固定であって、いざというとき引いて外せる取付け構造として用いることも可能である。
【００１９】
また、ネジ体は、ビスに限らず、ボルトであってもよく、ボルト等である場合には、ネジ体のヘッド部はナット等であってもよい。
【図面の簡単な説明】
【００２０】
【図１】実施形態の取付け構造を示すもので、ビスと座金と取付け部分とを分離状態にして示す斜視図である。
【図２】図（イ）は取付け状態の断面側面図、図（ロ）は正面図、図（ハ）は座金の平面図である。
【図３】図（イ）は取付け結合状態の断面側面図、図（ロ）は結合が解除された状態の断面側面図である。
【図４】図（イ）は取付け結合状態を周囲構造部分との関係で示す断面側面図、図（ロ）は結合が解除された状態を周囲構造部分との関係で示す断面側面図である。
【図５】図（イ）〜図（ニ）はそれぞれ座金の他の例を示す平面図である。
【符号の説明】
【００２１】
２…土台水切り（取り付ける一方）
４…外壁（取り付けるもう一方）
５…ビス（ネジ体）
５ａ…ビス頭部（ヘッド部）
６…ネジ通し孔
７…座金
【図１】
2005257013.tif 000003
【図２】
2005257013.tif 000004
【図３】
2005257013.tif 000005
【図４】
2005257013.tif 000006
【図５】
2005257013.tif 000007